(57)【要約】【課題】加熱コイル及びヒートシンクの冷却効率を高めることができる加熱調理器を得る。【解決手段】トッププレートと、トッププレートの下に設けられた加熱コイルと、第１ファンと、第１ファンを収容し、吸込口及び吹出口が形成された第１ファンケースと、第１ファンよりも後方に設けられた第２ファンと、第２ファンを収容し、吸込口及び吹出口が形成され、正面視において第１ファンケースと幅方向において少なくとも一部が重なるように設けられた第２ファンケースと、第１ファンケースの吹出口と接続された入口、及び第１出口を有する第１導風路を形成する第１導風部材と、加熱コイルに高周波電流を供給するインバータ回路に含まれる駆動素子と、駆動素子に取り付けられ、第１導風路内に配置されたヒートシンクとを備えた。【選択図】図７
2020064735.tif 000002
【特許請求の範囲】
【請求項１】
トッププレートと、
前記トッププレートの下に設けられた加熱コイルと、
第１ファンと、
前記第１ファンを収容し、吸込口及び吹出口が形成された第１ファンケースと、
前記第１ファンよりも後方に設けられた第２ファンと、
前記第２ファンを収容し、吸込口及び吹出口が形成され、正面視において前記第１ファンケースと幅方向において少なくとも一部が重なるように設けられた第２ファンケースと、
前記第１ファンケースの前記吹出口と接続された入口、及び第１出口を有する第１導風路を形成する第１導風部材と、
前記加熱コイルに高周波電流を供給するインバータ回路に含まれる駆動素子と、
前記駆動素子に取り付けられ、前記第１導風路内に配置されたヒートシンクとを備えた
加熱調理器。
【請求項２】
前記加熱コイルは、第１加熱コイルと、前記第１加熱コイルよりも前記第１ファンから離れた位置に配置された第２加熱コイルとを含み、
前記第２ファンケースの前記吹出口は、第１部分と第２部分とを含み、
前記第２ファンケースの前記吹出口の第１部分と接続された入口及び前記第２加熱コイルの下方に形成された第１出口を有する第２導風路を形成する第２導風部材を備えた
請求項１記載の加熱調理器。
【請求項３】
前記第２導風部材の上壁には、前記第１加熱コイルの下面と対向する第２出口が形成されている
請求項２記載の加熱調理器。
【請求項４】
前記第１ファンケースの前記吹出口は、第１部分と第２部分とを含み、
前記第１ファンケースの前記吹出口の前記第２部分と接続された入口、及び前記第１加熱コイルの下方に形成された第１出口を有する第３導風路を形成する第３導風部材を備え、
前記第１ファンケースの前記吹出口の前記第１部分は、前記第１導風路の前記入口に接続されている
請求項２又は請求項３に記載の加熱調理器。
【請求項５】
前記第３導風部材の上壁には、前記第１加熱コイルの下面と対向する第２出口が形成されている
請求項４記載の加熱調理器。
【請求項６】
前記第１ファンケースの前記吹出口の前記第１部分と前記第２部分とは、水平方向に並んで配置されている
請求項４又は請求項５に記載の加熱調理器。
【請求項７】
前記第１ファンケースの前記吹出口の前記第１部分と前記第２部分とは、上下に配置されている
請求項４記載の加熱調理器。
【請求項８】
前記第３導風部材には、上下に起立し、前記第３導風路を左右に分ける第１分流板が設けられており、
前記第１分流板によって分けられた一方の風路と他方の風路とは、冷却風が流出する方向が異なる
請求項７記載の加熱調理器。
【請求項９】
前記第２ファンケースの前記吹出口の前記第２部分は、前記第２導風路に接続されておらず、前記第１加熱コイルの下方に配置されている
請求項２〜請求項８のいずれか一項に記載の加熱調理器。
【請求項１０】
前記第２ファンケースの前記吹出口の前記第２部分の下流側には、上下に起立し、前記第１加熱コイルの外形の少なくとも一部に沿った平面形状を有する第１コイル導風板が設けられている
請求項６記載の加熱調理器。
【請求項１１】
前記第１導風路の前記第１出口の下流側には、上下に起立し、前記第１導風路の前記第１出口からの冷却風を前記第２加熱コイルに導く第２コイル導風板が設けられている
請求項２〜請求項７のいずれか一項に記載の加熱調理器。
【請求項１２】
前記第１導風路の前記第１出口には、後方へ向かって上昇する傾斜面を有する第１出口導風板が設けられている
請求項１〜請求項１１のいずれか一項に記載の加熱調理器。
【請求項１３】
前記インバータ回路が実装された基板を備え、
前記第１ファンケースの前記吹出口の下流側には、前記基板の下側への冷却風の流入を遮る基板下遮蔽部材が設けられている
請求項１〜請求項１２のいずれか一項に記載の加熱調理器。
【請求項１４】
前記基板の下側には、前記第２ファンケースの前記吹出口からの冷却風が流れる第４導風路が形成されている
請求項１３記載の加熱調理器。
【請求項１５】
前記加熱コイル、前記第１ファンケース、前記第２ファンケース、前記第１導風部材、前記駆動素子、及び前記ヒートシンクを収容する第１筐体と、
前記第１筐体の下に接続された第２筐体と、
前記第２筐体内に収容された調理室と、
前記第１ファンケースの前記吸込口に連通する第１風路と、前記第１風路と連通せず、前記第２ファンケースの前記吸込口に連通する第２風路と、が内部に形成された第１吸気ダクトとを備えた
請求項１〜請求項１４のいずれか一項に記載の加熱調理器。
【請求項１６】
前記第１筐体には、筐体排気口が形成されており、
前記筐体排気口と前記第２筐体内とを連通させる排気ダクトが、前記第２筐体内に設けられている
請求項１５記載の加熱調理器。
【請求項１７】
前記第１筐体の底には、前記第２筐体内と連通する第１通気口が形成されており、
前記第１通気口と前記筐体排気口とを結ぶ線の下方に、前記調理室の少なくとも一部が配置されている
請求項１６記載の加熱調理器。
【請求項１８】
前記第１筐体の底には、前記第１導風路の下流側であって、前記筐体排気口の上流側に、前記第１筐体内と前記第２筐体内とを連通させる第２通気口が形成されている
請求項１６又は請求項１７に記載の加熱調理器。
【請求項１９】
前記第１筐体の底には、前記調理室の幅よりも外側に、前記第１筐体内と前記第２筐体内とを連通させる第３通気口が形成されている
請求項１５〜請求項１８のいずれか一項に記載の加熱調理器。
【請求項２０】
前記第２筐体に収容され、第３ファンを収容する第３ファンケースと、
前記第２筐体に収容され、前記調理室の内部を加熱する加熱装置と、
前記第２筐体に収容され、前記加熱装置を駆動する駆動回路とを備え、
前記調理室の上壁と前記第１筐体の底との間には、通風可能な隙間が形成されており、
前記第３ファンの吹出口からの空気の流れ方向において、前記駆動回路の下流側に、前記隙間が位置している
請求項１５〜請求項１９のいずれか一項に記載の加熱調理器。
【請求項２１】
前記第３ファンケースの吹出口と前記隙間とを連通させ、前記駆動回路の少なくとも一部を収容する導風ダクトが設けられている
請求項２０記載の加熱調理器。
【請求項２２】
前記駆動回路は、複数の発熱部品を含み、
前記導風ダクト内には、前記複数の発熱部品同士を隔てる分流板が設けられている
請求項２１記載の加熱調理器。
【請求項２３】
前記第３ファンケースの前記吹出口の下端は、前記駆動回路の下端よりも下方に位置している
請求項２０〜請求項２２のいずれか一項に記載の加熱調理器。
【発明の詳細な説明】
【技術分野】
【０００１】
本発明は、加熱コイルと、加熱コイルに高周波電流を供給するインバータ回路の駆動素子の熱を放熱するヒートシンクとを備えた加熱調理器に関する。
【背景技術】
【０００２】
加熱コイルを備えた加熱調理器には、内蔵される部品を冷却する構造が設けられている。そのような加熱調理器として、加熱コイルを冷却するファン装置と、高発熱素子のヒートシンクを冷却するファン装置とを設けたものが提案されている（たとえば、特許文献１参照）。この特許文献１に記載の加熱調理器は、ファン装置と加熱コイルとが上下方向に重なるように配置され、かつ、もう一つのファン装置とヒートシンクとが上下方向に重なるように配置されている。
【先行技術文献】
【特許文献】
【０００３】
【特許文献１】特開２０１３−２６１６９号公報
【発明の概要】
【発明が解決しようとする課題】
【０００４】
特許文献１に記載の加熱調理器は、加熱コイルとヒートシンクとを、それぞれに設けたファン装置を用いて冷却している。しかし、特許文献１の図４にも開示されているように、ヒートシンクに向けてファン装置から送出された冷却風は、排気口が形成された本体の後方のみならず、前方へ向かっても流れる。このように後方から前方へ向かう冷却風の流れがあると、冷却対象を冷却した後の高温化した空気が排気口からスムースに排気されないため、加熱コイル及びヒートシンクの冷却効率が低下してしまう。
【０００５】
本発明は、上記のような課題を背景としてなされたものであり、加熱コイル及びヒートシンクの冷却効率を高めることができる加熱調理器を提供するものである。
【課題を解決するための手段】
【０００６】
本発明に係る加熱調理器は、トッププレートと、前記トッププレートの下に設けられた加熱コイルと、第１ファンと、前記第１ファンを収容し、吸込口及び吹出口が形成された第１ファンケースと、前記第１ファンよりも後方に設けられた第２ファンと、前記第２ファンを収容し、吸込口及び吹出口が形成され、正面視において前記第１ファンケースと幅方向において少なくとも一部が重なるように設けられた第２ファンケースと、前記第１ファンケースの前記吹出口と接続された入口、及び第１出口を有する第１導風路を形成する第１導風部材と、前記加熱コイルに高周波電流を供給するインバータ回路に含まれる駆動素子と、前記駆動素子に取り付けられ、前記第１導風路内に配置されたヒートシンクとを備えたものである。
【発明の効果】
【０００７】
本発明によれば、第１ファンと第２ファンとが前後に並んで配置され、第１ファンを収容する第１ファンケースと第２ファンを収容する第２ファンケースとは、正面視において幅方向に少なくとも一部が重なるように配置されている。このように前後に並んで配置された第１ファンと第２ファンとを、第１ファンケースと第２ファンケースとが幅方向において重なるように配置することで、幅方向において第１ファンと第２ファンとが近接して配置されることになる。加熱調理器は一般に、キッチン台に据え置かれあるいは組み込まれて設置されるが、この設置状態において加熱調理器の後方には閉塞された空間があり、前方には開放された空間がある。このような設置状態において、開放空間に近い前方に配置された第１ファンは、第２ファンよりも低温の空気を吸い込むことができる。そして、比較的低温の空気を吸い込む第１ファンの第１ファンケースの吹出口と接続された導風路には、ヒートシンクが配置されている。ヒートシンクと加熱コイルとでは、ヒートシンクの方が低温であるため、第１ファンから吸い込んだ比較的低温の空気を用いることで、ヒートシンクを効率よく冷却することができる。また、第１ファンの吹出口と接続された入口を有する導風路を形成する第１導風部材が設けられており、この導風路内にヒートシンクが配置されるため、第２ファンから送出された空気は、ヒートシンクに接触しにくい。したがって、第２ファンから送出され他の部品を冷却して高温化した冷却風によるヒートシンクの冷却効率の低下が抑制される。
【図面の簡単な説明】
【０００８】
【図１】実施の形態１に係る加熱調理器１００が設置されたキッチン家具２００の斜視図である。
【図２】実施の形態１に係る加熱調理器１００の、トッププレート１及び排気口カバー５が取り外された状態の斜視図である。
【図３】実施の形態１に係る加熱調理器１００の下側からの斜視図である。
【図４】実施の形態１に係る加熱調理器１００の内部構造を説明する図である。
【図５】実施の形態１に係る加熱調理器１００の内部構造を説明する斜視図である。
【図６】実施の形態１に係る導風部材４０の構造を説明する図である。
【図７】実施の形態１に係る加熱調理器１００の冷却風の流れを説明する図である。
【図８】実施の形態１に係る加熱調理器１００の、第１ファンケース２０及び第２ファンケース３０を通る前後方向の縦断面図である。
【図９】実施の形態１に係る加熱調理器１００の、第２出口５４を通る前後方向の縦断面図である。
【図１０】実施の形態１に係る加熱調理器１００の、第１導風路４１の第１出口４３を通る前後方向の縦断面図である。
【図１１】実施の形態２に係る加熱調理器１００の、トッププレート１が取り外された状態の斜視図である。
【図１２】実施の形態２に係る導風部材４０Ａ及び第１加熱コイル９Ａ、第２加熱コイル９Ｂを中心とする部分斜視図である。
【図１３】実施の形態２に係る導風部材４０を中心とする斜視図である。
【図１４】実施の形態２に係る導風部材４０の一部を透視して示す斜視図である。
【図１５】実施の形態２に係る加熱調理器１００の、第３導風路６１Ａを通る横断面図である。
【図１６】実施の形態２に係る加熱調理器１００の、第１導風路４１Ａを通る横断面図である。
【図１７】実施の形態３に係る加熱調理器１００が設置されたキッチン家具２００の斜視図である。
【図１８】実施の形態３に係る加熱調理器１００の内部構造を説明する斜視図である。
【図１９】実施の形態３に係る加熱調理器１００の内部構造を説明する下側斜視図である。
【図２０】実施の形態３に係る加熱調理器１００の内部構造を説明する前面側斜視図である。
【図２１】実施の形態３に係る加熱調理器１００の分解斜視図である。
【図２２】実施の形態３に係る加熱調理器１００の駆動基板１１の下側に冷却風を供給する構造を説明する図である。
【図２３】実施の形態３に係る加熱調理器１００の、第１ファン２１及び第２ファン３１を通る横断面図である。
【図２４】実施の形態３に係る第１前カバー９３及び第１吸気ダクト８６の平面図である。
【図２５】図２４のＡ−Ａ断面図である。
【図２６】図２４のＢ−Ｂ断面図である。
【図２７】実施の形態３に係る調理室８１及びその周辺部品の斜視図である。
【図２８】実施の形態３に係る導風ダクト８８及びその周辺部品の斜視図である。
【図２９】実施の形態３に係る加熱調理器１００の、第３ファンケース９０を通る縦断面図である。
【図３０】実施の形態３に係る加熱調理器１００の第１加熱装置８２１及び第２加熱装置８２２を通る縦断面図である。
【図３１】実施の形態３に係る加熱調理器１００の、第２通気口１０７及び第３通気口１０８を通る位置であって、調理室８１の幅よりも左外側の位置における縦断面図である。
【発明を実施するための形態】
【０００９】
以下、本発明に係る加熱調理器を、ビルトイン型の誘導加熱調理器に適用した場合の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す加熱調理器は、本発明の加熱調理器が適用される機器の一例を示すものであり、図面に示された加熱調理器によって本発明の適用機器が限定されるものではない。また、以下の説明において、理解を容易にするために方向を表す用語（たとえば「上」、「下」、「右」、「左」、「前」、「後」など）を適宜用いるが、これらは説明のためのものであって、本発明を限定するものではない。また、以下の説明において「上流側」、「下流側」というときには、冷却風の流れにおける上流側、下流側をいうものとする。また、各図において、同一の符号を付したものは、同一の又はこれに相当するものであり、これは明細書の全文において共通している。なお、各図面では、各構成部材の相対的な寸法関係又は形状等が実際のものとは異なる場合がある。
【００１０】
実施の形態１．
図１は、実施の形態１に係る加熱調理器１００が設置されたキッチン家具２００の斜視図である。図１に示すように、加熱調理器１００は、キッチン家具２００に組み込まれて使用される。キッチン家具２００は、作業台として使用される平板状のキッチン天板２０１を有し、このキッチン天板２０１の上に、加熱調理器１００のトッププレート１が露出している。キッチン家具２００には、加熱調理器１００の下側の位置に、収納庫２０２が設けられている。なお、本明細書において加熱調理器１００の「前面」、キッチン家具２００の「前面」というときには、加熱調理器１００またはキッチン家具２００の使用者と対向する面をいい、図１の例では収納庫２０２の扉側が、「前面」である。
【００１１】
本実施の形態の加熱調理器１００は、第１筐体１０（図２参照）の中にグリルまたはオーブンなどの加熱庫を備えておらず、第１筐体１０がキッチン天板２０１に形成された開口に挿入されて、加熱調理器１００がキッチン家具２００に据え付けられる。なお、加熱調理器１００の、キッチン天板２０１の開口に挿入される部分の厚みは、キッチン天板２０１の厚み２０３以下であることが望ましい。ここで、加熱調理器１００の、キッチン天板２０１の開口に挿入される部分の厚みとは、本実施の形態ではトッププレート１の周囲に設けられた天板枠１０５（図２参照）の裏面と第１筐体１０（図２参照）の底の外表面との間の距離である。加熱調理器１００の、キッチン天板２０１の開口に挿入される部分の厚みが、キッチン天板２０１の厚み２０３よりも大きいと、収納庫２０２の高さに制限が加わり、収納庫２０２の収納量を低減させてしまうからである。また、収納庫２０２内の収納物と加熱調理器１００とが接触してしまうおそれもある。なお、キッチン家具の業界標準においては、キッチン天板２０１の前端の厚みは、４０ｍｍである。したがって、加熱調理器１００の、キッチン天板２０１の開口に挿入される部分の厚みは、４０ｍｍ以下とするのが望ましい。このようにすることで、収納庫２０２の収納量を確保し、また、収納庫２０２の収納物と加熱調理器１００との接触を抑制できる。
【００１２】
加熱調理器１００は、第１筐体１０（図２参照）を有し、この第１筐体１０の上には被加熱物である調理容器が載置されるトッププレート１が設けられている。トッププレート１には、本実施の形態では２つの加熱口２が設けられている。なお、加熱口２の数は限定されず、１つあるいは３つ以上の加熱口２が設けられていてもよい。
【００１３】
加熱調理器１００の後側には、第１筐体１０からの排気を流出させる筐体排気口４（図２参照）の上を覆う排気口カバー５が設けられている。排気口カバー５には、通風可能な開口が設けられている。排気口カバー５に設けられる開口は、例えば、排気口カバー５の幅と同じかやや小さい幅のスリット状の開口とすることができる。
【００１４】
図２は、実施の形態１に係る加熱調理器１００の、トッププレート１及び排気口カバー５が取り外された状態の斜視図である。第１筐体１０の中には、加熱口２と同数の加熱コイルが設けられている。本実施の形態では、第１加熱コイル９Ａと第２加熱コイル９Ｂとが設けられている。第１加熱コイル９Ａ及び第２加熱コイル９Ｂは、基本的な構造及び機能は同じであり、第１筐体１０内において左右に並んで配置されている。なお、第１加熱コイル９Ａと第２加熱コイル９Ｂの大きさ、形状、導線の巻き数は、互いに異なっていてもよい。
【００１５】
加熱調理器１００の前側には、使用者からの操作入力を受け付ける操作部６が設けられている。操作部６は、たとえば、押しボタン、ダイヤルスイッチ、静電容量式タッチスイッチ等で構成されうるが、本実施の形態では静電容量式タッチスイッチである。トッププレート１（図１参照）に使用者が触れると、操作部６のタッチスイッチが静電容量の変化を検出して、操作入力として受け付ける。トッププレート１の手前側には、表示部７が設けられている。表示部７は、液晶ディスプレイやＬＥＤ等の視覚的に情報を報知する装置を有し、加熱調理器１００の火力、タイマーの時間等の動作状態や、使用者が操作部６で入力するための選択肢、使用者への警告及び注意喚起の報知を行う。表示部７の表示内容は、トッププレート１（図１参照）を介して使用者に視認される。
【００１６】
第１筐体１０は、底板１０１を有する。また、第１筐体１０は、四方の側壁として、前板１０２と、後板１０３（図２参照）と、左右一対の側板１０４を有し、これらで平面形状が概ね矩形の箱形を成している。
【００１７】
第１筐体１０内には、左右方向において第２加熱コイル９Ｂよりも第１加熱コイル９Ａに近い位置に、第１ファンケース２０と第２ファンケース３０とが設けられている。第１ファンケース２０及び第２ファンケース３０は、第１加熱コイル９Ａの下側に設けられている。正面視したときに、第１ファンケース２０と第２ファンケース３０とが左右幅方向に重なるようにして、第１ファンケース２０及び第２ファンケース３０の左右方向の位置が定められている（図７参照）。詳細は後述するが、第１ファンケース２０及び第２ファンケース３０には、導風部材４０が接続されている。
【００１８】
第１筐体１０の底板１０１の上であって、第２加熱コイル９Ｂの下側には、電源制御基板１４が設けられている。電源制御基板１４は、駆動基板１１（図４参照）を含む加熱調理器１００の電気部品に電源を供給する回路が実装された基板である。また、電源制御基板１４は、操作部６及び表示部７に接続され、操作部６からの入力に基づいて、表示部７並びに駆動基板１１（図４参照）に実装された回路を制御する。
【００１９】
第１筐体１０は、その上端に、外側に向かって張り出す天板枠１０５を有する。第１筐体１０の後側に位置する天板枠１０５には、第１筐体１０内と連通する筐体排気口４が設けられている。筐体排気口４は、本実施の形態では加熱口２と同数、すなわち２個設けられているが、この数は限定されない。本実施の形態の筐体排気口４は、左右方向に長い矩形の一つの穴で構成されているが、筐体排気口４を構成する穴の数及び形状は図示のものに限定されない。筐体排気口４から流出した第１筐体１０内の空気は、排気口カバー５（図１参照）に設けられた開口を介して、排気される。なお、筐体排気口４及び排気口カバー５（図１参照）に設けられた開口の幅は、同等に近いのが好ましい。より好ましくは、排気口カバー５（図１参照）に設けられた開口の幅は、筐体排気口４の幅よりも大きいのが好ましい。このようにすることで、筐体排気口４から排気口カバー５の開口に至る排気の圧力損失が低減される。
【００２０】
図３は、実施の形態１に係る加熱調理器１００の下側からの斜視図である。底板１０１には、底板１０１の左右方向において第１ファンケース２０及び第２ファンケース３０と同じ側に、筐体吸気口３が設けられている。筐体吸気口３は、本実施の形態では第１ファンケース２０と第２ファンケース３０の合計数と同数、すなわち２個設けられている。本実施の形態の筐体吸気口３は、底板１０１に形成された複数の穴で構成されているが、筐体吸気口３を構成する穴の数及び形状は図示のものに限定されない。
【００２１】
第１筐体１０の後側の底面には、排水口８が形成されている。排水口８は、第１筐体１０内に浸入した吹きこぼれ液等の液体を、第１筐体１０から排出するための開口である。本実施の形態の排水口８は、第１筐体１０の左右端のそれぞれに設けられているが、排水口８の数及び位置は図示のものに限定されない。
【００２２】
図４は、実施の形態１に係る加熱調理器１００の内部構造を説明する図である。図４は、図２から操作部６、表示部７並びに第１加熱コイル９Ａ及び第２加熱コイル９Ｂが取り外された背面側斜視図を示している。第２ファンケース３０よりも後側には、第１コイル導風板７１が設けられている。第１コイル導風板７１は、弧状の板部材で構成されており、その面が底板１０１と直交するようにして底板１０１の上に起立している。第１コイル導風板７１は、第１加熱コイル９Ａ（図２参照）の外形に沿うようにして配置されている。第２ファンケース３０の吹出口の一部である第２部分３２２は、第２導風路５１には接続されておらず、第１コイル導風板７１の円弧で囲まれる領域内に開口している。第２ファンケース３０の吹出口の第２部分３２２から、第１コイル導風板７１に囲まれた領域に冷却風が吹き出され、この第１コイル導風板７１の上に載置される第１加熱コイル９Ａの底面に冷却風が送られる。第１コイル導風板７１を設けることで、第１筐体１０内への冷却風の拡散が抑制されるので、第２ファンケース３０からの冷却風を効率よく第１加熱コイル９Ａに送ることができる。
【００２３】
導風部材４０は、駆動基板１１の少なくとも一部を収容する空間を、底板１０１との間に形成している。導風部材４０内には、第１ファンケース２０及び第２ファンケース３０からの冷却風が送出される。導風部材４０には、２箇所の第１出口４３、第１出口５３が設けられている。導風部材４０の上壁４４には、第２出口５４、６４が設けられている。これら出口については、後述する。
【００２４】
図５は、実施の形態１に係る加熱調理器１００の内部構造を説明する斜視図である。図５は、図４から、第１ファンケース２０、第２ファンケース３０及び導風部材４０が取り外された状態の、前面側斜視図である。第１ファンケース２０及び第２ファンケース３０（図４参照）の下側に、筐体吸気口３が形成されている。
【００２５】
駆動基板１１には、駆動素子１２が実装されている。駆動素子１２は、第１加熱コイル９Ａ、第２加熱コイル９Ｂに高周波電流を供給するインバータ回路に含まれる、スイッチング素子などの発熱量の大きい素子である。駆動素子１２は、たとえばＩＧＢＴ及びダイオードブリッジを含む。駆動素子１２は、ヒートシンク１３と熱的に接続されている。本実施の形態では、第１筐体１０の左右方向に沿って、複数の駆動素子１２が配置されている。ヒートシンク１３は、上下に隙間をあけて配置された水平に向いた複数の金属平板で構成されている。このヒートシンク１３の金属平板同士の隙間は、左右に貫通しており、冷却風の風路となる。
【００２６】
図６は、実施の形態１に係る導風部材４０の構造を説明する図である。図６では、導風部材４０を透視して示している。導風部材４０の下側には、第１導風路４１、第２導風路５１、第３導風路６１という３つの導風路が形成されている。概ね左右方向に沿って上下に延びる第１仕切板４５が、上壁４４の下側の空間を第１導風路４１と第２導風路５１とに仕切っている。また、平面視において円弧状で上下に延びる第２仕切板４６が、上壁４４の下側の空間を第２導風路５１と第３導風路６１とに仕切っている。
【００２７】
第１導風路４１は、入口４２と第１出口４３とを有する。第１導風路４１内には、ヒートシンク１３（図５参照）及びこれに熱的に接続された駆動素子１２（図５参照）が収容される。第１導風路４１は、ヒートシンク１３に冷却風を供給するための風路である。第１出口４３には、前から後に向かって上昇する傾斜面を有する第１出口導風板４８が設けられている。第１出口４３を流出する冷却風は、上昇する第１出口導風板４８の上面に導かれて、上へ向かって流れる。
【００２８】
第２導風路５１は、入口５２と、第１出口５３と、第２出口５４とを有する。第２導風路５１は、第２加熱コイル９Ｂと第１加熱コイル９Ａ（図２参照）とに冷却風を供給するための風路である。第２導風路５１の第１出口５３は、第２加熱コイル９Ｂ（図２参照）の前部分の下に位置している。第１出口５３の高さは、上壁４４の下面と底板１０１の上面との間の距離と概ね同じである。第２導風路５１の第２出口５４は、導風部材４０の上壁４４に形成された開口である。第２出口５４は、第１加熱コイル９Ａ（図２参照）の下に位置し、第１加熱コイル９Ａの下面と対向する。
【００２９】
第３導風路６１は、入口６２と、第１出口６３と、第２出口６４とを有する。第３導風路６１は、第１加熱コイル９Ａ（図２参照）に冷却風を供給するための風路である。本実施の形態の第３導風路６１は、平面視で概ね半円形に形成されている。第１出口６３は、第３導風路６１の上下範囲のうち上部にのみ開口しており、第１出口６３の開口の高さ寸法は第３導風路６１の高さ寸法よりも小さい。さらに第１出口６３の少なくとも一部は、第２ファンケース３０（図７参照）の上面よりも上側に開口している。第２出口６４は、上壁４４に形成された開口である。第２出口６４は、第１加熱コイル９Ａ（図２参照）の下に位置する。
【００３０】
第１導風路４１の入口４２及び第３導風路６１の入口６２は、第１ファンケース２０（図４参照）に接続される。また、第２導風路５１の入口５２は、第２ファンケース３０（図４参照）に接続される。
【００３１】
図７は、実施の形態１に係る加熱調理器１００の冷却風の流れを説明する図である。図７では、導風部材４０内を流れる冷却風を破線矢印で、導風部材４０から流出する冷却風を実線矢印で、概念的に示している。まず、第１ファンケース２０及び第２ファンケース３０の構造及びこれらと導風部材４０との接続に係る構造を説明する。第１ファンケース２０の吹出口２２は、第１部分２２１と、第２部分２２２とを有する。第１部分２２１は、吹出口２２のうち前側に位置する領域であり、第１導風路４１の入口４２に接続される。第２部分２２２は、吹出口２２のうち後側に位置する領域であり、第３導風路６１の入口６２に接続される。第１部分２２１と第２部分２２２とは、水平方向に並んでいる。吹出口２２は、その開口面が、前後方向に対して傾斜している。より詳しくは、平面視において、第１部分２２１と第２部分２２２とが、左右方向にずれて位置している。第２ファンケース３０の吹出口３２は、第１部分３２１と第２部分３２２とを有する。第１部分３２１は、吹出口３２のうち前側に位置する領域であり、第２導風路５１の入口５２に接続される。第２部分３２２は、吹出口３２のうち後側に位置する領域であり、導風部材４０には接続されず、導風部材４０と第１コイル導風板７１との間の空間に向かって開口している。
【００３２】
第１ファンケース２０の吹出口２２の第１部分２２１から送出された冷却風は、第１導風路４１を流れ、第１導風路４１内にあるヒートシンク１３に接触して、熱伝達によりヒートシンク１３を冷却する。本実施の形態では、複数のヒートシンク１３が前後に２列に配置されており、前側のヒートシンク１３と後側のヒートシンク１３との隙間には、遮蔽部４７が設けられていて、当該隙間が塞がれている。このため、前側のヒートシンク１３と後側のヒートシンク１３との隙間には冷却風が流れない。前側のヒートシンク１３と後側のヒートシンク１３との隙間に冷却風が流れても、ヒートシンク１３に接触しないことからヒートシンク１３が冷却されないため、遮蔽部４７を設けることで、ヒートシンク１３の冷却に寄与しない冷却風量を抑制している。また、本実施の形態では、遮蔽部４７が導風部材４０と一体成形されているため、これらを別部品として製造するよりも製造コストが抑制される。
【００３３】
第１導風路４１を流れた冷却風は、第１出口４３から流出する。第１出口４３は後方に向かって開口しており、また第１出口４３には第１出口導風板４８（図６参照）が設けられている。このため、第１出口４３から流出した冷却風は、後方に配置された筐体排気口４に向かって斜め上後方に流れる。その過程において冷却風は、第１出口４３と筐体排気口４との間に配置される第２加熱コイル９Ｂ（図２参照）と接触して、第２加熱コイル９Ｂを冷却する。
【００３４】
第１ファンケース２０の吹出口２２の第２部分２２２から送出された冷却風は、入口６２から第３導風路６１に流入する。第３導風路６１に流入した冷却風は、弧状の第２仕切板４６に沿って流れ、第１出口６３と第２出口６４とに分かれて流出する。第１出口６３は、第２ファンケース３０の上面よりも上側に開口しているため、第１出口６３から流出した冷却風は第２ファンケース３０の上面の上を流れる。このため、第１加熱コイル９Ａ（図２参照）からの熱により高温化しやすい第２ファンケース３０の高温化を抑制することができる。また、第１出口６３から流出した冷却風は、第１出口６３の上に配置される第１加熱コイル９Ａ（図２参照）と接触して、第１加熱コイル９Ａを冷却する。また、第２出口６４から流出した冷却風は、第２出口６４の上に配置される第１加熱コイル９Ａ（図２参照）と接触して、第１加熱コイル９Ａを冷却する。第１出口６３と第２出口６４とは、前後方向に異なる位置に配置されているため、第１加熱コイル９Ａの前後方向に渡る領域が、効率的に冷却される。第１加熱コイル９Ａを冷却した冷却風は、後方に設けられた筐体排気口４に向かって流れる。
【００３５】
第１ファンケース２０の吹出口２２は、第１ファンケース２０が配置された第１筐体１０の左前部分に対して対角の右後部分に向かって開口している。すなわち吹出口２２の開口面は、右側及び後方の両方に向いている。したがって、吹出口２２から送出される冷却風は、ヒートシンク１３が配置された吹出口２２の右側と、第２加熱コイル９Ｂ（図２参照）が配置された第１筐体１０の後方と、の両方に導かれやすい。このため、ヒートシンク１３と第２加熱コイル９Ｂ（図２参照）の両方を効率よく冷却できる。
【００３６】
第２ファンケース３０の吹出口３２の第１部分３２１から送出された冷却風は、入口５２から第２導風路５１に流入する。第２導風路５１に流入した冷却風の一部は、入口５２の下流側に形成された第２出口５４から上へ向かって流出する。第２出口５４から流出した冷却風は、第２出口５４の上に配置される第１加熱コイル９Ａ（図２参照）と接触して、第１加熱コイル９Ａを冷却する。第２導風路５１に流入した冷却風の残りは、右側に向かって直進し、第１出口５３から流出する。第１出口５３から流出した冷却風は、第１出口４３からの冷却風と合流しつつ、後方に配置された筐体排気口４に向かって流れる。その過程において冷却風は、第１出口５３と筐体排気口４との間に配置される第２加熱コイル９Ｂ（図２参照）と接触して、第２加熱コイル９Ｂを冷却する。
【００３７】
第２ファンケース３０の吹出口３２の第２部分３２２から送出された冷却風は、第１コイル導風板７１の手前側に流出する。この冷却風は、第１コイル導風板７１の上側に配置される第１加熱コイル９Ａ（図２参照）と接触して、第１加熱コイル９Ａを冷却する。
【００３８】
第２導風路５１及び第３導風路６１内には、駆動素子１２及びヒートシンク１３のような高温化する部品が配置されていない。このため、第２導風路５１及び第３導風路６１を通って第１加熱コイル９Ａ及び第２加熱コイル９Ｂ（図２参照）に供給される冷却風は、第１導風路４１でヒートシンク１３を冷却した冷却風よりも低温である。この低温の冷却風が第１加熱コイル９Ａ及び第２加熱コイル９Ｂに供給されるため、第１加熱コイル９Ａ及び第２加熱コイル９Ｂが効率的に冷却される。したがって、第１加熱コイル９Ａ及び第２加熱コイル９Ｂの温度上昇に伴う機能低下及び損傷が抑制される。
【００３９】
本実施の形態では、第１ファンケース２０及び第２ファンケース３０から送出された冷却風は、第１導風路４１、第２導風路５１、又は第３導風路６１を経由して、第１加熱コイル９Ａ又は第２加熱コイル９Ｂに導かれるように構成されている。このように本実施の形態では、第１ファンケース２０及び第２ファンケース３０からの冷却風が、無駄なく第１加熱コイル９Ａ又は第２加熱コイル９Ｂの冷却に利用されるので、冷却効果が高い。
【００４０】
図８は、実施の形態１に係る加熱調理器１００の、第１ファンケース２０及び第２ファンケース３０を通る前後方向の縦断面図である。第１ファンケース２０内には、第１ファン２１が設けられている。第２ファンケース３０内には、第２ファン３１が設けられている。第１ファン２１が回転すると、筐体吸気口３に吸引力が生じる。第１ファンケース２０は、前後方向においてキッチン天板２０１の前面側に近い。ここで、加熱調理器１００の後方における第１筐体１０の上側及び下側は、筐体排気口４から流出する高温の排気の影響により高温化しやすいのに対し、加熱調理器１００の前面側は室内空気にさらされていて比較的低温である。この室内の比較的低温の空気は、キッチン天板２０１と収納庫２０２との間の隙間から第１ファン２１に吸い込まれやすいのに対し、後側に位置する第２ファン３１には吸い込まれにくい。また、加熱調理器１００の後方に位置する比較的高温の空気は、後側に位置する第２ファン３１には吸い込まれやすいが、前側に位置する第１ファン２１には吸い込まれにくい。
【００４１】
すなわち、第１ファン２１は、第２ファン３１と比べて低温の空気を吸い込んで冷却風として送出することができる。第１ファン２１が送出する空気を、１００℃前後に高温化する駆動素子１２のヒートシンク１３の冷却に用いることで、駆動素子１２のヒートシンク１３を効率的に冷却することができる。また、第２ファン３１は、第１ファン２１と比べて高温の空気を吸い込んで冷却風として送出する。第２ファン３１が生成した冷却風は、第２ファンケース３０から送出されることになるが、図７で説明したように第２ファンケース３０から送出される冷却風は、第１加熱コイル９Ａ又は第２加熱コイル９Ｂの冷却に用いられる。第１加熱コイル９Ａ及び第２加熱コイル９Ｂは、駆動時には１８０℃程度まで高温化するので、第２ファン３１から送出される冷却風は第１ファン２１からの冷却風よりも高温であるとはいえ、第１加熱コイル９Ａおよび第２加熱コイル９Ｂを冷却可能である。仮に、比較的高温の空気を吸い込む第２ファン３１からの冷却風で駆動素子１２のヒートシンク１３を冷却しようとすると、第２ファン３１からの冷却風とヒートシンク１３との温度差が小さいことから、ヒートシンク１３の冷却効率が低下しうる。しかし、本実施の形態によれば、ヒートシンク１３と第１加熱コイル９Ａ及び第２加熱コイル９Ｂとを、前後に配置された第１ファン２１及び第２ファン３１が吸い込む空気の温度差を利用して、効率よく冷却することができる。
【００４２】
このように本実施の形態によれば、図７、８に示すように第１ファン２１と第２ファン３１とが前後に並んで配置される。また、第１ファン２１を収容する第１ファンケース２０と第２ファン３１を収容する第２ファンケース３０とは、正面視において左右幅方向に少なくとも一部が重なるように配置されている。このように前後に並んで配置された第１ファン２１と第２ファン３１とを、第１ファンケース２０と第２ファンケース３０とが左右幅方向において重なるように配置することで、左右幅方向において第１ファン２１と第２ファン３１とが近接して配置されることになる。加熱調理器１００は、キッチン家具２００に据え置かれあるいは組み込まれて設置されるが、この設置状態において加熱調理器１００の後方には閉塞された空間があり、前方には開放された空間がある。このような設置状態において、開放空間に近い前方に配置された第１ファン２１は、第２ファン３１よりも低温の空気を吸い込むことができる。そして、比較的低温の空気を吸い込む第１ファン２１の第１ファンケース２０の吹出口２２と接続された第１導風路４１には、ヒートシンク１３が配置されている。ヒートシンク１３と第１加熱コイル９Ａ及び第２加熱コイル９Ｂとでは、ヒートシンク１３の方が低温であるため、第１ファン２１から吸い込んだ比較的低温の空気を用いることで、ヒートシンク１３を効率よく冷却することができる。また、第１ファン２１の吹出口２２と接続された入口４２を有する第１導風路４１を形成する導風部材４０が設けられており、この第１導風路４１内にヒートシンク１３が配置されている。このため、第２ファン３１から送出された空気は、ヒートシンク１３に接触しにくい。したがって、第２ファン３１から送出され他の部品を冷却して高温化した冷却風によるヒートシンク１３の冷却効率の低下が抑制される。また、ヒートシンク１３と第１ファンケース２０及び第２ファンケース３０とは、上下に重ならないように配置されており、第１筐体１０の高さ寸法が抑制される。
【００４３】
また、第１ファンケース２０の上面は、第２ファンケース３０の上面よりも高い位置にある。すなわち、第１ファン２１から送出される冷却風は、第２ファン３１から送出される冷却風よりも高い位置を流れる。このため、第１ファンケース２０の上面位置と、第１ファン２１からの冷却風の出口の一つである、第２ファンケース３０の上面の上側に開口する第３導風路６１の第１出口６３とは、高さ位置が近くなる。このように第１ファン２１と第１出口６３との高低差を小さくすることで、第１ファン２１からの冷却風を乱れが少ない状態で第１出口６３に導くことができる。また、第２ファンケース３０の上面は、第１ファンケース２０の上面よりも低い位置にあることから、第２ファンケース３０の上側の空間の高さが確保され、この空間を冷却風が流れやすい。このため、第２ファンケース３０の上に配置される第１加熱コイル９Ａの冷却効率を高めることができる。
【００４４】
図９は、実施の形態１に係る加熱調理器１００の、第２出口５４を通る前後方向の縦断面図である。第１仕切板４５の前側に位置する第１導風路４１内には、ヒートシンク１３が配置されており、第１導風路４１内を流れる冷却風によってヒートシンク１３が冷却される。第１仕切板４５の後側に位置する第２導風路５１の上には、第２出口５４が設けられており、第２出口５４の上側に第１加熱コイル９Ａが設けられている。第２出口５４から流出する冷却風は、第１加熱コイル９Ａの下から第１加熱コイル９Ａに接触する。また、第１コイル導風板７１と導風部材４０との間の空間の上に、第１加熱コイル９Ａが配置される。第１コイル導風板７１と導風部材４０との間の空間に流れ込む冷却風によって、第１加熱コイル９Ａが冷却される。
【００４５】
図１０は、実施の形態１に係る加熱調理器１００の、第１導風路４１の第１出口４３を通る前後方向の縦断面図である。第１出口４３に設けられた第１出口導風板４８は、その上面が、前から後へ向かって上昇している。このため、第１出口４３から流出する冷却風は、斜め上へ向かって流れる。このため、第１出口導風板４８の上端よりも上に位置する第２加熱コイル９Ｂに向かう冷却風の指向性が高められ、第２加熱コイル９Ｂに効率的に冷却風が供給される。
【００４６】
本実施の形態では、第１導風路４１、第２導風路５１及び第３導風路６１を、一体成形された導風部材４０で構成した例を説明した。このようにすることで、部品点数が削減されて加熱調理器１００の製造コストの上昇が抑制される。しかし、第１導風路４１、第２導風路５１及び第３導風路６１を構成する具体的な部材は上述の例に限定されず、第１導風路４１、第２導風路５１及び第３導風路６１の一部を個別の部材で構成してもよい。すなわち、第１導風路４１、第２導風路５１及び第３導風路６１のそれぞれを構成する第１導風部材、第２導風部材及び第３導風部材を設けてもよい。
【００４７】
実施の形態２．
本実施の形態では、実施の形態１の導風部材４０とは異なる構造の導風部材を備えた態様を説明する。本実施の形態では、実施の形態１との相違点を中心に説明し、実施の形態１と同じ構成には同じ符号を付している。
【００４８】
図１１は、実施の形態２に係る加熱調理器１００の、トッププレート１が取り外された状態の斜視図である。図１２は、実施の形態２に係る導風部材４０Ａ及び第１加熱コイル９Ａ、第２加熱コイル９Ｂを中心とする部分斜視図である。図１３は、実施の形態２に係る導風部材４０を中心とする斜視図である。図１４は、実施の形態２に係る導風部材４０の一部を透視して示す斜視図である。図１５は、実施の形態２に係る加熱調理器１００の、第３導風路６１Ａを通る横断面図である。図１６は、実施の形態２に係る加熱調理器１００の、第１導風路４１Ａを通る横断面図である。
【００４９】
導風部材４０Ａによって形成されている第１導風路４１Ａ、第２導風路５１Ａ及び第３導風路６１Ａは、基本的な機能は実施の形態１の第１導風路４１、第２導風路５１及び第３導風路６１と同じである。すなわち第１導風路４１Ａは、第１ファンケース２０からの冷却風を、ヒートシンク１３へ導く。第２導風路５１Ａは、第２ファンケース３０からの冷却風を、第１加熱コイル９Ａ及び第２加熱コイル９Ｂに導く。第３導風路６１Ａは、第１ファンケース２０からの冷却風を、第１加熱コイル９Ａに導く。
【００５０】
図１３に示すように、導風部材４０Ａは、上下に並んだ第３導風路６１Ａの入口６２Ａと第１導風路４１Ａの入口４２Ａとを形成している。入口４２Ａと入口６２Ａはともに、第１ファンケース２０の吹出口２２に接続される。導風部材４０Ａには、入口４２Ａと入口６２Ａの右側に並んで上下に起立する導風板４９が設けられている。導風板４９は、第１筐体１０内の一部を前後に仕切り、冷却風を後側に導く壁として機能する。導風部材４０Ａの右側には、上下に起立する第２コイル導風板７２が設けられている。第２コイル導風板７２は、前後方向に延びる壁と、その壁の後端から左に向かって延びる壁とが、平面視において全体としてＬ字型を形成している。第２コイル導風板７２は、導風部材４０から流出する冷却風を、第２加熱コイル９Ｂに導く機能を有する。
【００５１】
次に、第１導風路４１Ａ、第２導風路５１Ａ及び第３導風路６１Ａのそれぞれを詳細に説明する。
【００５２】
第１導風路４１Ａは、図１６に示すように、後方へ向かって開口する第１ファンケース２０の吹出口２２のうちの下側の部分に接続されている。吹出口２２のうちの下側の部分は、実施の形態１における第１部分２２１に相当する。第１導風路４１Ａは、入口４２Ａから後方へ向かって延び、続けて右前方に向かって延びている。第１導風路４１Ａの第１出口４３Ａは、実施の形態１と同様にヒートシンク１３の下流側にある。また、図１３に示すように、第１出口４３Ａには、前から後に向かって上昇する傾斜面を有する第１出口導風板４８Ａが設けられている。
【００５３】
第１ファン２１から送出された冷却風の一部は、第１ファンケース２０の吹出口２２の下側の一部から流出し、図１３、図１６に示す入口４２Ａを介して第１導風路４１Ａに流入する。第１導風路４１Ａに流入した冷却風は、ヒートシンク１３に接触し、熱伝達によりヒートシンク１３を冷却する。ヒートシンク１３を冷却した後の冷却風は、第１出口４３Ａを介して第１導風路４１Ａから出て、後方に配置される第２加熱コイル９Ｂを冷却する。
【００５４】
第２導風路５１Ａは、図１６に示すように、第２ファンケース３０の吹出口３２のうち、前側の第１部分３２１と接続されている。第２導風路５１Ａは、右側前方に向かって開口した吹出口３２の第１部分３２１から、右前方に向かって延びている。吹出口３２の開口面は、第１筐体１０の側板１０４と平行ではなく、右前方に向かって傾斜している。そして吹出口３２の開口面と直交するようにして、第２導風路５１Ａの入口５２Ａに連なる領域が延びている。第２導風路５１Ａの第１出口５３Ａは、第２加熱コイル９Ｂ（図１２参照）の下方に位置する。なお、本実施の形態の第２導風路５１Ａは、実施の形態１における第２出口５４に相当する構成は設けられていない。
【００５５】
第２ファン３１から送出された冷却風の一部は、吹出口３２の第１部分３２１から第２導風路５１Ａ内に流入する。吹出口３２の開口面と直交するようにして、第２導風路５１Ａの入口５２Ａに連なる領域を形成する壁が延びているため、この壁に平行な流れが形成される。このため、第２導風路５１Ａにおける冷却風の圧力損失が低減され、第２導風路５１Ａを流れる冷却風の風量が増えて冷却対象物の冷却効率が高まる。第２導風路５１Ａ内に流入した冷却風は、右側へ向かって流れ、第１出口５３Ａから第２導風路５１Ａの外へ流出する。第１出口５３Ａから流出した冷却風は、第１出口５３Ａの上に配置される第２加熱コイル９Ｂ（図１２参照）に接触して、第２加熱コイル９Ｂを冷却する。
【００５６】
第２ファン３１から送出された冷却風の他の一部は、吹出口３２の第２部分３２２から、第１コイル導風板７１の前側の空間に流出する。そして、当該空間の上に位置している第１加熱コイル９Ａ（図１２参照）を、吹出口３２の第２部分３２２からの冷却風が冷却する。
【００５７】
第３導風路６１Ａは、図１４、１５に示すように、後方へ向かって開口する第１ファンケース２０の吹出口２２のうちの上側の部分に接続されている。吹出口２２のうちの上側の部分は、実施の形態１における第２部分２２２に相当する。第３導風路６１Ａは、第１導風路４１Ａ（図１６参照）のうち、駆動基板１１に至る前の部分の上に重なる位置に配置される。第３導風路６１Ａ内には、流路を左右に分ける第１分流板６５Ａが設けられている。第１分流板６５Ａによって分けられた第３導風路６１Ａの一方と他方とは、冷却風を導く方向が異なる。図１３、図１５に示すように、第１分流板６５Ａの左側の第３導風路６１Ａは、概ね後方へ向き、第１分流板６５Ａの右側の第３導風路６１Ａは、右後方へ向かう弧状である。また、第３導風路６１Ａの上に壁はなく、第３導風路６１Ａの上面は開放されていて冷却風の流出口として機能する。さらに好ましくは、第３導風路６１Ａの底面を構成する部材は、入口６２Ａから下流に向かって、上方へ傾斜している。
【００５８】
第１ファン２１から送出された冷却風の一部は、第１ファンケース２０の吹出口２２の上側の部分から流出し、入口６２Ａを介して第３導風路６１Ａに流入する。第３導風路６１Ａに流入した冷却風は、第１分流板６５Ａによって左右に分けられた第３導風路６１Ａを後方へ向かって進む。第１分流板６５Ａの左側に位置する上面が開放された第３導風路６１Ａを流れる冷却風は、第３導風路６１Ａの上側に配置される第１加熱コイル９Ａに接触し、第１加熱コイル９Ａを冷却する。第３導風路６１Ａの底を構成する部材を、前から後へ向かって上方へ傾斜させることで、冷却風の流れを上方へ向けることができる。このようにすることで、第１加熱コイル９Ａに冷却風が接触しやすくなり、第１加熱コイル９Ａの冷却効果が高まる。また、第１分流板６５Ａの右側に位置する第３導風路６１Ａを流れる冷却風は、第１加熱コイル９Ａを冷却しつつ右後方へ向かって流れ、第２加熱コイル９Ｂも冷却する。第３導風路６１Ａを構成する左右の壁は、平面視において弧状に曲がっているため、第３導風路６１Ａを流れる冷却風の圧力損失が抑制される。
【００５９】
また、実施の形態１と同じ構成については、本実施の形態においても実施の形態１と同様の作用効果を生じる。
【００６０】
実施の形態３．
本実施の形態は、調理室８１を備えた点が、実施の形態１、２と異なる。本実施の形態では、実施の形態１、２との相違点を中心に説明する。また、本実施の形態は、実施の形態１、２のそれぞれと組み合わせることもできる。
【００６１】
図１７は、実施の形態３に係る加熱調理器１００が設置されたキッチン家具２００の斜視図である。図１７に示すように、加熱調理器１００は、キッチン家具２００に組み込まれたときにキッチン天板２０１よりも下側となる位置に、調理室８１を備える。調理室８１は、扉８１１を有し、調理室８１内を加熱する加熱装置を備える。また、調理室８１の左側には第１前カバー９３を備え、右側には第２前カバー９４を備える。
【００６２】
図１８は、実施の形態３に係る加熱調理器１００の内部構造を説明する斜視図である。図１８は、トッププレート１及び排気口カバー５が取り外された状態の加熱調理器１００を示している。本実施の形態の加熱調理器１００は、第１筐体１０Ｂ及び調理室８１を収容した第２筐体８０を備えている。第２筐体８０の前部に設けられている第１前カバー９３及び第２前カバー９４は、加熱調理器１００の前面側の意匠板として機能している。また第１前カバー９３には、吸気口９３１が形成されている。第１前カバー９３の内部には、吸気口９３１を介して流入する空気の風路となる空間が形成されている。
【００６３】
第１筐体１０Ｂの底板１０１Ｂには、２箇所の第２通気口１０７が形成されている。第２通気口１０７は、底板１０１Ｂの上側と、第２筐体８０内とを連通させる。
【００６４】
左側の筐体排気口４の下側には、第２筐体８０の中に、排気ダクト８５が設けられている。排気ダクト８５は、第２筐体８０内及び調理室８１内の空気を筐体排気口４に導くための風路を内部に有している。図１８では、筐体排気口４及び第２通気口１０７を介して排気ダクト８５が視認される様子が図示されている。
【００６５】
第１加熱コイル９Ａ及び第２加熱コイル９Ｂの下側には、導風部材４０Ｂが配置されている。本実施の形態の導風部材４０Ｂは、後述するように、実施の形態１の導風部材４０及び実施の形態２の導風部材４０Ａとは構造が異なる。
【００６６】
図１９は、実施の形態３に係る加熱調理器１００の内部構造を説明する下側斜視図である。図１９は、第２筐体８０及び調理室８１の扉８１１が取り外された状態の加熱調理器１００を下側からみた図である。第１前カバー９３の下面にも、吸気口９３１が設けられている。本実施の形態の第１前カバー９３の下面の吸気口９３１は、第１前カバー９３の下面全体に設けられているのではなく、左側、すなわち調理室８１から離れた方向の一部にのみ設けられている。
【００６７】
第１前カバー９３の後方であって、調理室８１の左側には、第１吸気ダクト８６が設けられている。第１吸気ダクト８６は、第１前カバー９３の吸気口９３１から吸い込まれた空気を第１筐体１０Ｂ内に導くものである。第１前カバー９３と第１吸気ダクト８６とは接続されており、接続箇所は気密性が確保されている。
【００６８】
第２前カバー９４の右面及び下面には、吸気口９４１が形成されている。第２前カバー９４の内部には、吸気口９４１を介して流入する空気の風路となる空間が形成されている。
【００６９】
吸気口９３１及び吸気口９４１は、後述するように第２筐体８０内を冷却するための冷却風の入口である。これら吸気口９３１及び吸気口９４１を加熱調理器１００の前面以外の場所に設けることで、使用状態において使用者に吸気口９３１及び吸気口９４１が視認されにくい。吸気口９３１及び吸気口９４１が加熱調理器１００の外観を損なわせることがないので、加熱調理器１００の意匠性の低下が抑制されている。また、吸気口９３１及び吸気口９４１を加熱調理器１００の前面に設けた場合、室内空気にさらされるために吸気口９３１及び吸気口９４１には塵埃が付着しやすい。しかし本実施の形態によれば、室内空気にさらされにくい位置に配置された吸気口９３１及び吸気口９４１には、塵埃が付着しにくい。
【００７０】
第２前カバー９４の後方であって、調理室８１の右側には、第２吸気ダクト８７と第３ファンケース９０とが設けられている。第２吸気ダクト８７は、第２前カバー９４の吸気口９４１から吸い込まれた空気を第３ファンケース９０に導くものである。第３ファンケース９０の後方には、導風ダクト８８が設けられている。導風ダクト８８の右側面には、第１出口８８１が形成されている。第２前カバー９４、第２吸気ダクト８７、第３ファンケース９０及び導風ダクト８８は、一連の通風路を形成している。
【００７１】
第１筐体１０Ｂの底板１０１Ｂの後部には、排気風路流入口１０９が形成されている。排気風路流入口１０９は、筐体排気口４（図１８、図２０参照）の下側に設けられている。
【００７２】
図２０は、実施の形態３に係る加熱調理器１００の内部構造を説明する前面側斜視図である。図２０は、図１８から第１加熱コイル９Ａ、第２加熱コイル９Ｂ、扉８１１、第２前カバー９４及び天板枠１０５が取り外された状態を示している。第２筐体８０の右側の前面には、接続口９５が形成されている。接続口９５は、第２前カバー９４（図１９参照）と接続され、その接続箇所では気密性が確保されている。第２前カバー９４と第２筐体８０とは、接続口９５を介して連通する。なお、図２０では図示されていないが、第２筐体８０には、第２筐体８０内と第１前カバー９３内とを連通させる接続口９５に相当する開口が、設けられている。第１前カバー９３及び第２前カバー９４は、第２筐体８０に対して着脱可能に取り付けられる。このため、吸気口９３１及び吸気口９４１に塵埃が付着した場合でも、使用者はその塵埃を除去しやすい。したがって、吸気口９３１及び吸気口９４１に塵埃が付着することによる、吸気口９３１及び吸気口９４１における圧力損失の増加が抑制されて冷却風量及び冷却効率の低下も抑制される。
【００７３】
図２１は、実施の形態３に係る加熱調理器１００の分解斜視図である。図２１では、第１筐体１０Ｂを下側斜視図で示し、第２筐体８０を上側斜視図で示している。第２筐体８０内には、第１吸気ダクト８６が設けられている。第１吸気ダクト８６には、第１風路８６１と第２風路８６２とを有し、これらの風路は互いに独立している。第１吸気ダクト８６は、第１前カバー９３内に形成されている風路を介して、吸気口９３１と連通している。第１風路８６１の上側には、第１ファンケース２０（図２０参照）内と連通する筐体吸気口３が配置される。第２風路８６２の上側には、第２ファンケース３０（図２０参照）内と連通する筐体吸気口３が配置される。第１風路８６１の出口を構成する第１吸気ダクト８６の上端は、底板１０１Ｂとの間に気密性が確保された状態で、底板１０１Ｂに接続される。第２風路８６２の出口を構成する第１吸気ダクト８６の上端は、底板１０１Ｂとの間に気密性が確保された状態で、底板１０１Ｂに接続される。
【００７４】
調理室８１の上側には、遮熱ケース９６が設けられている。遮熱ケース９６は、調理室８１の上側を、調理室８１の上壁との間に隙間をあけた状態で覆う。遮熱ケース９６と調理室８１の上壁との間の隙間には、導風ダクト８８の第２出口８８２が接続される。遮熱ケース９６と調理室８１との隙間は、空気断熱層として機能するとともに、破線矢印で示すように導風ダクト８８からの冷却風が流れる風路としても機能する。
【００７５】
排気ダクト８５は、入口８５１と出口８５２とを有する。排気ダクト８５は、前方から後方に向かって延び、続けて上方に向かって延びており、側面視においてＬ字型の流路を内部に有している。排気ダクト８５の入口８５１は、遮熱ケース９６と調理室８１の上壁との間の隙間に連通するとともに調理室８１と連通している。
【００７６】
図２１に破線矢印で示すように、導風ダクト８８の第２出口８８２から遮熱ケース９６の下側の隙間に流入した冷却風は、遮熱ケース９６の下側を流れる過程において遮熱ケース９６と接触してこれを冷却する。遮熱ケース９６の下側を流れた冷却風は、入口８５１を介して排気ダクト８５内を流れ、出口８５２から流出する。第１筐体１０Ｂと第２筐体８０とが組み付けられた状態において、排気ダクト８５の出口８５２は、第１筐体１０Ｂの底板１０１Ｂに形成された排気風路流入口１０９を介して第１筐体１０Ｂ内に位置している（図２０参照）。遮熱ケース９６を冷却することで、遮熱ケース９６の上側に配置される第１筐体１０Ｂへの調理室８１からの伝熱を抑制している。第１筐体１０Ｂへの伝熱が抑制されることで、第１筐体１０Ｂ内に収容される部品の冷却効率を高めることができる。
【００７７】
第１筐体１０Ｂの底板１０１Ｂには、２つの第２通気口１０７が、平面視において排気ダクト８５と重ならない位置に形成されている。底板１０１Ｂの左前には第３通気口１０８が形成され、底板１０１Ｂの右前には第１通気口１０６が形成されている。第３通気口１０８は、筐体吸気口３よりも前側に配置されている。第１通気口１０６は、底板１０１Ｂの右端であって、第１筐体１０Ｂの上に配置されるヒートシンク１３よりも前側に配置されている。
【００７８】
図２２は、実施の形態３に係る加熱調理器１００の駆動基板１１の下側に冷却風を供給する構造を説明する図である。駆動基板１１の端部と左側の側板１０４との間には、基板下導風部材７３が設けられている。基板下導風部材７３は、第２ファンケース３０（図２０参照）から送出される冷却風を、駆動基板１１の下側に導くための部材である。基板下導風部材７３は、上下に起立する壁を有し、この壁の一部には他よりも上端が凹んだ第１凹部７３１と第２凹部７３２とが形成されている。第１凹部７３１には、第１ファンケース２０の吹出口２２（図２３参照）が接続される。第２凹部７３２には、第２ファンケース３０の吹出口３２（図２３参照）が接続される。
【００７９】
第１凹部７３１と駆動基板１１との間には、基板下遮蔽部材７４が設けられている。基板下遮蔽部材７４は、駆動基板１１と底板１０１Ｂとの間の上下の隙間を塞ぎ、駆動基板１１の下側への冷却風の流入を防ぐための部材である。基板下遮蔽部材７４は、上下に延びる壁であり、駆動基板１１の側端と接するようにして底板１０１Ｂの上に起立している。
【００８０】
他方、第２凹部７３２と駆動基板１１との間には、基板下遮蔽部材７４に相当する部材が設けられていない。したがって、駆動基板１１の下側の空間は、第２凹部７３２と対向する位置において、開放されている。駆動基板１１の下側の空間を、第４導風路７５と称する。第２ファンケース３０の吹出口３２（図２３参照）と接続される第２凹部７３２の上側の空間が、第４導風路７５への冷却風の流入口として機能する。
【００８１】
図２３は、実施の形態３に係る加熱調理器１００の、第１ファン２１及び第２ファン３１を通る横断面図である。図２３では、第１導風路４１Ｂ又は第２導風路５１Ｂを通る冷却風の流れを実線矢印で、駆動基板１１の下側にある第４導風路７５（図２２参照）を通る冷却風の流れを破線矢印で、概念的に示している。
【００８２】
導風部材４０Ｂの内部において、第１仕切板４５Ｂが導風部材４０Ｂ内の空間の一部を前後に仕切っており、一方に第１導風路４１Ｂ、他方に第２導風路５１Ｂが形成されている。本実施の形態では、実施の形態１、２における第３導風路に相当する構成は設けられていない。
【００８３】
第１導風路４１Ｂは、入口４２Ｂと第１出口４３Ｂとを有する。第１導風路４１Ｂ内には、ヒートシンク１３及びこれに熱的に接続された駆動素子１２（図２２参照）が収容される。第１導風路４１Ｂは、ヒートシンク１３に冷却風を供給するための風路である。入口４２Ｂは、第１ファンケース２０の吹出口２２に接続される。第１出口４３Ｂは、第１ファンケース２０からの冷却風の流れ方向において第１ファンケース２０から最も離れた導風部材４０Ｂの端部に設けられている。第１出口４３Ｂは、導風部材４０Ｂの上壁の右側の端部と駆動基板１１との間に形成される隙間である。
【００８４】
第２導風路５１Ｂは、入口５２Ｂと、第１出口５３Ｂとを有する。第２導風路５１Ｂは、第２加熱コイル９Ｂ（図１８参照）に冷却風を供給するための風路である。入口５２Ｂは、第１ファンケース２０の吹出口３２に接続される。第１出口５３Ｂは、第２加熱コイル９Ｂ（図１８参照）の前部分の下に位置している。第１出口５３Ｂは、導風部材４０Ｂの上壁の右側の端部と駆動基板１１との間に形成される隙間である。
【００８５】
第１ファンケース２０は、吹出口２２の開口面が側板１０４と概ね平行となるようにして、設置されている。第１ファンケース２０からの冷却風の流れ方向において、第１導風路４１Ｂの側壁を構成する第１仕切板４５Ｂは、吹出口２２からその下流側に向かって、第１導風路４１Ｂの幅を拡大するように後方へ傾斜している。図２３に実線矢印で示すように、吹出口２２から吹き出された冷却風は、第１仕切板４５Ｂに沿って拡大する風路内を拡散しながら流れ、ヒートシンク１３を冷却し、第１出口４３Ｂから第１導風路４１Ｂを出る。第１出口４３Ｂを出た冷却風は、第１筐体１０Ｂの右側の側板１０４に導かれ、後方に配置されている第２加熱コイル９Ｂ（図１８参照）を冷却する。
【００８６】
図２３に実線矢印で示すように、吹出口３２から吹き出された冷却風は、第２導風路５１Ｂを流れる。第２導風路５１Ｂにはヒートシンク１３のような高温となる発熱部品がないため、第２導風路５１Ｂを流れる冷却風の上昇温度は、第１導風路４１Ｂを流れる冷却風の上昇温度よりも小さい。第２導風路５１Ｂを流れた低温の冷却風は、第１出口５３Ｂを出て、後方に設置される第２加熱コイル９Ｂ（図１８参照）を冷却する。
【００８７】
また、図２３に破線矢印で示すように、吹出口３２からの冷却風の一部は、駆動基板１１の下側に形成されている第４導風路７５内に流入する。図２２に示す第２凹部７３２を介して、吹出口３２と第４導風路７５とが連通している。第４導風路７５内に流入した冷却風は、駆動基板１１の下側を流れる。第２ファンケース３０は、吹出口３２の開口面が、側板１０４に対して傾斜した向きとなるようにして、設置されている。具体的には吹出口３２の開口面は、駆動基板１１の四隅のうち、吹出口３２に最も近い角の対角に向いている。このため、駆動基板１１の下面全体に冷却風が行き渡りやすい。第４導風路７５内の空気は、第１筐体１０Ｂの下側にある調理室８１から駆動基板１１への伝熱を抑制する断熱層として機能する。調理室８１から駆動基板１１への伝熱が抑制されることで、駆動基板１１に実装されているヒートシンク１３の冷却効率を高めることができる。
【００８８】
第４導風路７５を流れた冷却風は、駆動基板１１の右側の端部から第４導風路７５を出て、第２導風路５１Ｂを流れた冷却風とともに第２加熱コイル９Ｂ（図１８参照）を冷却する。このように第２ファンケース３０からの冷却風は、駆動基板１１の上側の第２導風路５１Ｂと、駆動基板１１の下側の第４導風路７５とに分流し、その後合流して第２加熱コイル９Ｂ（図１８参照）の冷却に用いられる。このため、第２導風路５１Ｂのみに第２ファンケース３０から冷却風が送られる場合と比べて、第２ファン３１の圧力損失が低下する。圧力損失が低下することで、第２加熱コイル９Ｂの冷却に用いられる冷却風量が増加して、第２加熱コイル９Ｂの冷却効率を高めることができる。
【００８９】
図２４は、実施の形態３に係る第１前カバー９３及び第１吸気ダクト８６の平面図である。第１前カバー９３の後側に連結された第１吸気ダクト８６には、第１風路８６１と第２風路８６２とが設けられている。第１風路８６１は、吸気口９３１から吸い込まれた空気を、第１ファンケース２０の第１ファン２１（図２３参照）に導く。第１風路８６１の出口となる第１吸気ダクト８６の上端は、第１筐体１０Ｂの下面に筐体吸気口３（図２１参照）を囲むようにして取り付けられる。第２吸気ダクト８７は、吸気口９３１から吸い込まれた空気を、第２ファンケース３０の第２ファン３１（図２３参照）に導く。第２風路８６２の出口となる第１吸気ダクト８６の上端は、第１筐体１０Ｂの下面に筐体吸気口３（図２１参照）を囲むようにして取り付けられる。
【００９０】
図２５は、図２４のＡ−Ａ断面図である。図２５では、冷却風の流れを矢印で概念的に示している。第２風路８６２は、後方に向かって延び、さらに上方に向かって延びる側面視でＬ字型の流路である。第２風路８６２は、第１前カバー９３の吸気口９３１のうち、側面上部に形成された吸気口９３１と接続される。吸気口９３１から吸い込まれた冷却風は、第１前カバー９３内の風路及び第１吸気ダクト８６の第２風路８６２内を、後方に向かって流れたのち上昇して、第２風路８６２から上に向かって流出する。
【００９１】
図２６は、図２４のＢ−Ｂ断面図である。図２６では、冷却風の流れを矢印で概念的に示している。第１風路８６１は、後方に向かって延び、さらに上方に向かって延びる側面視でＬ字型の流路である。第１風路８６１は、第１前カバー９３の吸気口９３１のうち、第１前カバー９３の側面下部及び底面に形成された吸気口９３１と接続される。吸気口９３１から吸い込まれた冷却風は、第１前カバー９３内の風路及び第１吸気ダクト８６内の第１風路８６１内を、後方に向かって流れたのち上昇して、第１風路８６１から上に向かって流出する。第１風路８６１から流出した冷却風は、第１ファン２１に吸い込まれて第１ファンケース２０から送出され、第１導風路４１Ｂ内のヒートシンク１３の冷却に用いられる。ここで、高温の空気は浮力により上方に移動するため、加熱調理器１００の設置状態において第１前カバー９３の周囲にある空気は、下側の方が上側よりも低温である。このため、第１前カバー９３の側面株及び底面に設けられた吸気口９３１から吸い込んだ空気を、ヒートシンク１３に供給することで、第１加熱コイル９Ａ、第２加熱コイル９Ｂと比べて温度の低いヒートシンク１３を効率よく冷却することができる。
【００９２】
また、図２１、図２４〜図２６に示すように、ヒートシンク１３に供給する冷却風が流れる第１風路８６１と、調理室８１との間には、第２風路８６２が配置されている。第２風路８６２は、調理室８１からの熱が第１風路８６１に伝わるのを抑制する断熱部として機能する。このため、第１風路８６１内を流れる冷却風の高温化が抑制され、より低温の冷却風がヒートシンク１３に供給されるため、ヒートシンク１３の冷却効率を高めることができる。
【００９３】
図２５と図２６とを比較して分かるように、第１前カバー９３の側面上部の吸気口９３１から第２風路８６２の出口までの風路は、第１前カバー９３の側面下部及び底面の吸気口９３１から第１風路８６１の出口までの風路よりも長い。このため、第２風路８６２における圧力損失は、第１風路８６１における圧力損失よりも大きい。そこで、第２風路８６２に接続される吸気口９３１の開口面積を、第１風路８６１に接続される吸気口９３１の開口面積よりも大きくするのがよい。このようにすることで、第１ファン２１と第２ファン３１との間の吸引風量の差が抑制され、第２ファン３１の騒音の増大が抑制される。
【００９４】
図２７は、実施の形態３に係る調理室８１及びその周辺部品の斜視図である。調理室８１の上壁には、調理室８１内を加熱する第１加熱装置８２１が設けられている。第１加熱装置８２１は、例えば抵抗発熱体である。調理室８１の下部には、調理室８１内を加熱する第２加熱装置８２２が設けられている。第２加熱装置８２２は、例えば加熱コイルであり、調理室８１内に載置される調理皿を高周波磁束により発熱させて、調理皿に載置される食材を加熱する。なお、第１加熱装置８２１及び第２加熱装置８２２の具体的構成は上述のものに限定されず、調理室８１内を加熱するものであればよい。第１加熱装置８２１及び第２加熱装置８２２の具体例としては、抵抗発熱体、誘導加熱コイル、マイクロ波加熱装置、又は過熱水蒸気が挙げられる。調理室８１は、たとえば、グリル庫、電子レンジ、あるいは炊飯器として利用されうる。
【００９５】
図２８は、実施の形態３に係る導風ダクト８８及びその周辺部品の斜視図である。第３ファンケース９０の後方には、導風ダクト８８が設けられている。導風ダクト８８は、第３ファンケース９０から送出される冷却風を、冷却対象に導くための風路を構成するものである。本実施の形態の冷却対象は、第１加熱装置８２１及び第２加熱装置８２２を駆動する駆動回路８３であり、駆動回路８３には発熱部品８３１、８３２、８３３、８３４が実装されている。発熱部品８３１は、例えばインバータ回路を構成する駆動素子であり、発熱部品８３２はその駆動素子に熱的に接続されたヒートシンクである。発熱部品８３３は例えばトランスであり、発熱部品８３４は例えばヒートシンクである。第３ファンケース９０からの冷却風の流れ方向における導風ダクト８８の下流部には、第１出口８８１が設けられている。
【００９６】
図２９は、実施の形態３に係る加熱調理器１００の、第３ファンケース９０を通る縦断面図である。図２９では、冷却風の流れを矢印で概念的に示している。第３ファンケース９０の吹出口９２は、導風ダクト８８に接続されている。第３ファンケース９０の吹出口の下端は、発熱部品８３１〜８３４が実装された駆動回路８３の下端よりも下方に位置している。すなわち吹出口９２から後方へ吹き出された冷却風は、駆動回路８３の下側を流れる。第３ファンケース９０内の第３ファン９１から送出された冷却風は、吹出口９２を介して導風ダクト８８内に流入する。導風ダクト８８には、平板面が前後に向くようにして配置されて上下に延びる分流板８９１及び８９２が設けられている。分流板８９１は、吹出口９２の一部と対向する位置に設けられ、吹出口９２からの冷却風を上方に導く。分流板８９１と導風ダクト８８の前側の壁との間には、発熱部品８３２が収容されており、分流板８９１によって導かれた冷却風によって発熱部品８３２が冷却される。分流板８９２は、分流板８９１よりも冷却風の流れにおいて下流側にあり、吹出口９２からの冷却風を上方に導く。前後に隙間をあけて配置された分流板８９１と分流板８９２との間には、発熱部品８３３が配置されており、分流板８９１と分流板８９２との間を流れる冷却風によって発熱部品８３３が冷却される。
【００９７】
導風ダクト８８を流れる冷却風のうち、分流板８９１及び８９２に沿って上方に向かって流れた冷却風は、図２１で示したように、導風ダクト８８の第２出口８８２を介して流出して、遮熱ケース９６と調理室８１の上壁との間に形成された隙間を流れる。
【００９８】
分流板８９３は、平板面が上下に向くようにして配置されて前後に延びる板状の部材である。分流板８９３は、導風ダクト８８の底板との間に隙間をあけて配置される。分流板８９３と導風ダクト８８の底板との間の隙間が、冷却風が流れる風路となる。吹出口９２から吹き出された冷却風は、分流板８９３の上面に沿って後方へ向かって流れ、導風ダクト８８の上下に延びる後壁に導かれて上昇する。この過程において、発熱部品８３４が冷却風によって冷却される。発熱部品８３４を冷却した冷却風は、第１出口８８１（図２８参照）を介して第２筐体８０内に流出する。
【００９９】
第３ファンケース９０からの冷却風の流れが第２筐体８０内に生じることによって、第２筐体８０内に収容された第１筐体１０Ｂの前側に設けられた第１通気口１０６に、第１筐体１０Ｂの下側への吸引力が生じる。そうすると、第１筐体１０Ｂ内の空気が、第１通気口１０６を介して第１筐体１０Ｂの下側へ流れ、第１筐体１０Ｂの底板１０１Ｂに沿って第２筐体８０内を後方へ流れる。第１通気口１０６と排気風路流入口１０９とを結ぶ直線の下には、調理室８１の少なくとも一部が配置されている。このため、第２筐体８０内を流れる冷却風は、排気風路流入口１０９に向かって流れる過程において、調理室８１に接触してこれを冷却する。高温の空気は、第２筐体８０の上方、すなわち第１筐体１０Ｂの周囲に滞留しやすい。しかし、第１通気口１０６から排気風路流入口１０９への冷却風の流れを第１筐体１０Ｂの底板１０１Ｂの周囲に形成することで、第１筐体１０Ｂの周囲の高温空気の排出を促すことができる。
【０１００】
図３０は、実施の形態３に係る加熱調理器１００の第１加熱装置８２１及び第２加熱装置８２２を通る縦断面図である。図３０では、冷却風の流れを矢印で概念的に示している。第１筐体１０Ｂの底板１０１Ｂには、調理室８１よりも後方の位置に、第２通気口１０７が形成されている。ヒートシンク１３を冷却して導風部材４０Ｂの第１導風路４１Ｂを流出した冷却風は、後方へ向かって流れ、底板１０１Ｂに形成された第２通気口１０７を介して第１筐体１０Ｂの下側へ流出する。第１筐体１０Ｂの下側の第２筐体８０内に流入した冷却風は、第２筐体８０内を流れ、筐体排気口４から流出する。本実施の形態の加熱調理器１００は、第２筐体８０の後壁と調理室８１との間に空間が形成されている。ここで、この空間には、調理室８１の周囲で暖められた空気が滞留しやすい。しかし本実施の形態のように、底板１０１Ｂの、第１導風路４１Ｂの下流側であって筐体排気口４の上流側に、第２通気口１０７を設けることで、第１導風路４１を流出した冷却風が筐体排気口４に向かって流れて第２筐体８０内の空気の排出が促される。このため、第２筐体８０内の高温化が抑制される。
【０１０１】
なお、図２１で示したように、排気ダクト８５の上方には、第２通気口１０７が形成されていない。このため、第２通気口１０７から第１筐体１０Ｂの下側へ流入する空気は、排気ダクト８５に接触しにくい。したがって、排気ダクト８５を流れる調理室８１からの排気は、低温化しにくい。言い換えると、調理室８１からの排気は、高温状態が維持されたままで、排気ダクト８５を通って排出される。このため、調理室８１内の排熱が促進され、第２筐体８０内の冷却効果が高まる。第２筐体８０内の温度上昇が抑制されることで、図２９に示した発熱部品８３１〜８３４の冷却効果を高めることができる。
【０１０２】
図３１は、実施の形態３に係る加熱調理器１００の、第２通気口１０７及び第３通気口１０８を通る位置であって、調理室８１の幅よりも左外側の位置における縦断面図である。図３１では、冷却風の流れを矢印で概念的に示している。第３通気口１０８の少なくとも一部は、調理室８１の幅よりも左外側に形成されている。このため、第３通気口１０８から第１筐体１０Ｂの下側に流入する冷却風は、調理室８１の左側方を、後へ向かって流れ、筐体排気口４を介して流出する。調理室８１の周囲は高温の空気が滞留しやすいが、冷却風が、第３通気口１０８から筐体排気口４に流れる過程において、この高温の空気の排出が促される。図３１に示すように、第２筐体８０内の左側には第１吸気ダクト８６が配置されているが、第３通気口１０８から筐体排気口４に向かう冷却風で高温空気の滞留を抑制することで、第１吸気ダクト８６内の高温化が抑制される。このため、第１ファンケース２０及び第２ファンケース３０から送出される冷却風の高温化が抑制されるので、冷却対象物の冷却効果も高まる。
【０１０３】
なお、実施の形態１〜３では、時計回り（右回り）に回転する遠心式の第１ファン２１及び第２ファン３１を例に説明したが、反時計回り（左回り）に回転する送風機を採用することもできる。その場合には、第１ファン２１及び第２ファン３１及びこれに接続される部材を、実施の形態１〜３とは左右反対に配置することができる。
【符号の説明】
【０１０４】
１  トッププレート、２  加熱口、３  筐体吸気口、４  筐体排気口、５  排気口カバー、６  操作部、７  表示部、８  排水口、９Ａ  第１加熱コイル、９Ｂ  第２加熱コイル、１０  第１筐体、１０Ｂ  第１筐体、１１  駆動基板、１２  駆動素子、１３  ヒートシンク、１４  電源制御基板、２０  第１ファンケース、２１  第１ファン、２２  吹出口、３０  第２ファンケース、３１  第２ファン、３２  吹出口、４０  導風部材、４０Ａ  導風部材、４０Ｂ  導風部材、４１  第１導風路、４１Ａ  第１導風路、４１Ｂ  第１導風路、４２  入口、４２Ａ  入口、４２Ｂ  入口、４３  第１出口、４３Ａ  第１出口、４３Ｂ  第１出口、４４  上壁、４５  第１仕切板、４５Ｂ  第１仕切板、４６  第２仕切板、４７  遮蔽部、４８  第１出口導風板、４８Ａ  第１出口導風板、４９  導風板、５１  第２導風路、５１Ａ  第２導風路、５１Ｂ  第２導風路、５２  入口、５２Ａ  入口、５２Ｂ  入口、５３  第１出口、５３Ａ  第１出口、５３Ｂ  第１出口、５４  第２出口、６１  第３導風路、６１Ａ  第３導風路、６２  入口、６２Ａ  入口、６３  第１出口、６４  第２出口、６５Ａ  第１分流板、７１  第１コイル導風板、７２  第２コイル導風板、７３  基板下導風部材、７４  基板下遮蔽部材、７５  第４導風路、８０  第２筐体、８１  調理室、８３  駆動回路、８５  排気ダクト、８６  第１吸気ダクト、８７  第２吸気ダクト、８８  導風ダクト、９０  第３ファンケース、９１  第３ファン、９２  吹出口、９３  第１前カバー、９４  第２前カバー、９５  接続口、９６  遮熱ケース、１００  加熱調理器、１０１  底板、１０１Ｂ  底板、１０２  前板、１０３  後板、１０４  側板、１０５  天板枠、１０６  第１通気口、１０７  第２通気口、１０８  第３通気口、１０９  排気風路流入口、２００  キッチン家具、２０１  キッチン天板、２０２  収納庫、２０３  厚み、２２１  第１部分、２２２  第２部分、３２１  第１部分、３２２  第２部分、７３１  第１凹部、７３２  第２凹部、８１１  扉、８２１  第１加熱装置、８２２  第２加熱装置、８３１  発熱部品、８３２  発熱部品、８３３  発熱部品、８３４  発熱部品、８５１  入口、８５２  出口、８６１  第１風路、８６２  第２風路、８８１  第１出口、８８２  第２出口、８９１  分流板、８９２  分流板、８９３  分流板、９３１  吸気口、９４１  吸気口。
【図１】
2020064735.tif 000003
【図２】
2020064735.tif 000004
【図３】
2020064735.tif 000005
【図４】
2020064735.tif 000006
【図５】
2020064735.tif 000007
【図６】
2020064735.tif 000008
【図７】
2020064735.tif 000009
【図８】
2020064735.tif 000010
【図９】
2020064735.tif 000011
【図１０】
2020064735.tif 000012
【図１１】
2020064735.tif 000013
【図１２】
2020064735.tif 000014
【図１３】
2020064735.tif 000015
【図１４】
2020064735.tif 000016
【図１５】
2020064735.tif 000017
【図１６】
2020064735.tif 000018
【図１７】
2020064735.tif 000019
【図１８】
2020064735.tif 000020
【図１９】
2020064735.tif 000021
【図２０】
2020064735.tif 000022
【図２１】
2020064735.tif 000023
【図２２】
2020064735.tif 000024
【図２３】
2020064735.tif 000025
【図２４】
2020064735.tif 000026
【図２５】
2020064735.tif 000027
【図２６】
2020064735.tif 000028
【図２７】
2020064735.tif 000029
【図２８】
2020064735.tif 000030
【図２９】
2020064735.tif 000031
【図３０】
2020064735.tif 000032
【図３１】
2020064735.tif 000033